(57)【要約】      （修正有）【課題】構造が簡単で、取り付け後に端部のみが露出し、使用時の安全性が向上し、同時に傘全体のサイズと傘リブの長さを効果的に低減し、使用寿命がより長く、同時に、傘リブが同じ長さであっても、傘を開いた後、傘の雨よけ面積を効果的に増加させることができる隠し安全傘ビーズを提供する。【解決手段】隠し安全傘ビーズは、傘ビーズ本体を含み、傘ビーズ本体は固定片３と、上端が閉じられたスリーブ１を含み、固定片はスリーブの上端の外周に配置され、固定片の内端は接続片２を介してスリーブに接続され、固定片はプラスチック製傘布４にホットメルトで接続され、かつ傘ビーズスリーブは傘リブ５の端部により深く挿入され、脱落しにくい。【選択図】図４
0003230409.tif 000002
【実用新案登録請求の範囲】
【請求項１】
傘ビーズ本体を含む隠し安全傘ビーズであって、傘ビーズ本体は固定片、上端が閉じられたスリーブを含み、前記固定片はスリーブの上端の外周に配置され、固定片の内端は接続片を介してスリーブに接続され、固定片は塑料傘布にホットメルトで接続される、ことを特徴とする隠し安全傘ビーズ。
【請求項２】
前記スリーブの上端はアーチ形であり、接続片はスリーブのアーチ形の端の周縁に接続され、固定片とスリーブの軸線との角度は１８０度以下である、ことを特徴とする請求項１に記載の隠し安全傘ビーズ。
【請求項３】
前記接続片とスリーブの接続点からスリーブの頂部の距離は０〜１５ｍｍであり、固定片とスリーブ軸線の角度は鈍角ではない、ことを特徴とする請求項１に記載の隠し安全傘ビーズ。
【請求項４】
前記接続片の厚さは固定片よりも厚くないことを特徴とする請求項１または２に記載の隠し安全傘ビーズ。
【請求項５】
前記スリーブ、接続片、および固定片は一体的に射出成形される、ことを特徴とする請求項４に記載の隠し安全傘ビーズ。
【請求項６】
前記傘ビーズ本体の材質はＥＶＡ、ＰＥ、ＴＰＵ、ＰＡ６またはＰＡ６６である、ことを特徴とする請求項４に記載の隠し安全傘ビーズ。
【請求項７】
前記スリーブは、上部および下部が閉じていないスリーブ部を含み、スリーブ部の上端は半円部によって閉じられる、ことを特徴とする請求項４に記載の隠し安全傘ビーズ。
【請求項８】
スリーブ部は、円筒形または上部が大きく下部が小さい円錐形である、ことを特徴とする請求項４に記載の隠し安全傘ビーズ。
【請求項９】
固定片の上表面はスリーブ部よりも高くない、ことを特徴とする請求項４に記載の隠し安全傘ビーズ。
【考案の詳細な説明】
【技術分野】
【０００１】
本考案は、隠し安全傘ビーズに関する。
【背景技術】
【０００２】
傘ビーズは、主傘リブの外端に取り付けられた部品であり、従来の傘ビーズは露出部分が長く、雨の日に使用する場合、注意しないと他人に触れやすく、目に触れると、人体に大きいダメージに与えると同時に、従来のプラスチック製傘の傘ビーズはスーツであり、布製傘の傘ビーズも縫い付けられて傘布に接続されており、使用中に脱落しやすいという問題がある。
【考案の概要】
【０００３】
これを考慮して、本考案は、プラスチック製傘の隠し安全傘ビーズを提案する。
【０００４】
本考案は、上記の問題を解決するための技術的解決策として、以下の隠し安全傘ビーズを提供する。隠し安全傘ビーズは、傘ビーズ本体を含み、傘ビーズ本体は固定片、および上端が閉じられたスリーブを含み、前記固定片はスリーブの上端の外周に配置され、固定片の内端は接続片を介してスリーブに接続され、固定片はプラスチック製傘布にホットメルトで接続される。
【０００５】
さらに、前記スリーブの上端はアーチ形であり、接続片はスリーブのアーチ形の端の周縁に接続され、固定片とスリーブとの角度は１８０度以下である。
【０００６】
さらに、前記接続片とスリーブの接続点からスリーブ頂部までの距離は０〜１５ｍｍであり、固定片とスリーブ軸線の角度は鈍角ではない。
【０００７】
さらに、前記接続片の厚さは固定片よりも厚くない。
【０００８】
さらに、前記スリーブ、接続片、および固定片は一体的に射出成形される。
【０００９】
さらに、前記傘ビーズ本体の材質はＥＶＡ、ＰＥ、ＴＰＵ、ＰＡ６またはＰＡ６６である。
【００１０】
さらに、前記スリーブは、上部および下部が閉じていないスリーブ部を含み、スリーブ部の上端は半円部によって閉じられる。
【００１１】
さらに、スリーブ部は円筒形または上部が大きく下部が小さい円錐形である。
【００１２】
さらに、前記スリーブの穴の径は１．５〜４ｍｍであり、前記スリーブの穴の深さは１０〜１５ｍｍである。
【００１３】
さらに、固定片の上表面はスリーブ部よりも高くない。
【００１４】
従来技術と比較すると、本考案は以下の有益な効果を有する。構造が簡単で、設計が合理的であり、取り付け後に端部のみが露出し、使用時の安全性が向上し、同時に傘全体のサイズが小さくなり、および主傘リブ全体が短くなり、生産コストを削減し、傘リブの長さ、接続材料のコストを効果的に低減でき、接続片は傘布にホットメルトで接続され、傘ビーズのスリーブが傘リブの端部に深く挿入され、傘ビーズが脱落しにくく、使用寿命がより長くなり、同時に、傘リブが同じ長さであっても、傘を開いた後、傘の雨よけ面積を効果的に増加させることができる。
【図面の簡単な説明】
【００１５】
以下、図面を参照して本考案をさらに説明する。
【図１】傘ビーズの構造の概略図である。
【図２】傘ビーズの別の構造の概略図である。
【図３】固定片とスリーブの角度が鈍角である場合の構造の概略図である。
【図４】傘ビーズの取付構造の概略図である。
【考案を実施するための形態】
【００１６】
以下、図面および具体的な実施形態を参照して本考案をさらに説明する。
【００１７】
図１〜４に示すように、隠し安全傘ビーズは傘ビーズ本体を含み、傘ビーズ本体は固定片、および上端が閉じられたスリーブを含み、前記固定片はスリーブの上端の外周に配置され、固定片の内端は接続片を介してスリーブに接続され、固定片はプラスチック製傘布にホットメルトで接続される。
【００１８】
固定片がスリーブの上端の外周に配置されるため、スリーブが主傘リブの末端に嵌設された後、固定片はプラスチック製傘布の外面にホットメルトで接続され、プラスチック製傘布は固定片とスリーブ間に位置し、スリーブの外端部のみが露出し、傘全体のサイズが小さくなるとともに、傘ビーズが他人との衝突のリスクを低減する。
【００１９】
本実施例では、本傘ビーズを、蚊が食物に落ちるのを防ぐためのテーブルカバーの骨格の末端に使用することもでき、露出部分が少いため、隙間の高さを低くして、蚊が入りにくくすることができる。
【００２０】
本実施例では、前記接続片の厚さは固定片より厚くなく、好ましくは、固定片を曲げるのを容易にするために、接続片は固定片よりも薄い。
【００２１】
本実施例では、前記スリーブ、接続片、および固定片は一体的に射出成形される。
【００２２】
本実施例では、前記傘ビーズ本体の材質は、ＥＶＡ、ＰＥ、ＴＰＵ、ＰＡ６、またはＰＡ６６などの柔らかい材料である。
【００２３】
本実施例では、前記スリーブの上端はアーチ面または平面である。
【００２４】
本実施例では、前記スリーブは、上部および下部が閉じられたスリーブ部を含み、スリーブ部の上端は半円部によって閉じられる。
【００２５】
本実施例では、スリーブ部は円筒形または上部が大きく下部が小さい円錐形である。
【００２６】
本実施例では、固定片の上表面はスリーブ部よりも高くない。
【００２７】
本実施例では、前記スリーブの上端はアーチ形であり、接続片はスリーブのアーチ形の端の周縁に接続され、固定片とスリーブの角度は１８０度以下である。
【００２８】
前記接続片とスリーブの接続点からスリーブ頂部までの距離は０〜１５ｍｍであり、固定片とスリーブ軸線の角度は鈍角ではない。
【００２９】
本実施例では、前記スリーブの穴の径は１．５〜４ｍｍであり、前記スリーブの穴の深さは１０〜１５ｍｍである。
【００３０】
以上、好ましい実施例を挙げて、本考案の目的、技術的解決策および利点をさらに詳細に説明したが、以上は本考案の好ましい実施例に過ぎず、本考案を限定するものではなく、本考案の精神および原則の範囲内で行われた修正、等価置換、改善などは、すべて本考案の保護範囲に含まれるのは言うまでもない。
【符号の説明】
【００３１】
１    スリーブ
２    接続片
３    固定片
４    プラスチック製傘布
５    主傘リブ
【図１】
0003230409.tif 000003
【図２】
0003230409.tif 000004
【図３】
0003230409.tif 000005
【図４】
0003230409.tif 000006